(57)【特許請求の範囲】
【請求項１】
壁掛け用の映像表示装置であって、
映像を表示する画面を有するモニタ本体、
前記画面と交差する所定方向に貫通する第１貫通孔を有する円筒部が裏面側に突出するように一体成形され、前記モニタ本体の背面を覆うキャビネット、
前記第１貫通孔の内径よりも小さい内径の第２貫通孔を有し、前記第２貫通孔の貫通方向が前記所定方向に沿うように前記第１貫通孔に挿入されるナット、
前記第２貫通孔と連通する第３貫通孔を有し、前記キャビネットの表面側に設けられる壁掛け部材、および
前記キャビネットの表面側から挿入され、前記第３貫通孔を介して前記第２貫通孔と螺合するボルトを備える、映像表示装置。
【請求項２】
前記ナットは前記キャビネットの裏面側から前記第１貫通孔に挿入される、請求項１記載の映像表示装置。
【請求項３】
前記ナットは前記裏面側端部に形成されたフランジを有する、請求項２記載の映像表示装置。
【請求項４】
前記第１貫通孔に挿入された前記ナットは前記キャビネットに熱融着される、請求項１ないし３のいずれかに記載の映像表示装置。
【請求項５】
前記キャビネットは合成樹脂によって形成され、前記ナットおよび前記ボルトの各々は金属によって形成される、請求項１ないし４のいずれかに記載の映像表示装置。
【請求項６】
壁掛け用の映像表示装置であって、
映像を表示する画面を有するモニタ本体、
前記画面と交差する所定方向に貫通する第１貫通孔を有する円筒部が裏面側に突出するように一体成形されると共に、線状のエンボス部が裏面側に突出するように一体成形される、前記モニタ本体の背面を覆うキャビネット、
前記第１貫通孔の内径よりも小さい内径の第２貫通孔を有し、前記第２貫通孔の貫通方向が前記所定方向に沿うように前記第１貫通孔に挿入されるナット、
前記第２貫通孔と連通する第３貫通孔を有し、前記キャビネットの表面側に設けられる壁掛け部材、および
前記キャビネットの表面側から挿入され、前記第３貫通孔を介して前記第２貫通孔と螺合するボルトを備える、映像表示装置。
【請求項７】
前記エンボス部は垂直方向に延びる成分を有する、請求項６記載の映像表示装置。
【請求項８】
壁掛け用の映像表示装置であって、
映像を表示する画面を有するモニタ本体、
前記画面と交差する所定方向に貫通する第１貫通孔を有する円筒部が裏面側に突出するように一体成形され、前記モニタ本体の背面を覆う合成樹脂製のキャビネット、および
前記第１貫通孔の内径よりも小さい内径の孔を有し、前記キャビネットの裏側から前記円筒部に挿入される金属製のナットを備え、
前記ナットに形成される孔は、前記キャビネットの表面側から挿入されるボルトと螺合することを特徴とする、映像表示装置。
【発明の詳細な説明】
【技術分野】
【０００１】
この発明は、映像表示装置に関し、特にたとえば壁掛け型の映像表示装置に関する。
【背景技術】
【０００２】
従来のこの種の装置の一例が、特許文献１に開示されている。この従来技術によれば、壁面金具が壁面等に螺着され、チルト金具が壁面金具に螺着される。映像モニタの両側に螺入されたボルトの胴部は、チルト金具に設けられた孔の開放端から挿入され、ボルトで螺着される。
【特許文献１】特開平１０−１４３０８５号公報［G09F 9/00, H04N 5/64, H05K 5/02］
【発明の開示】
【発明が解決しようとする課題】
【０００３】
しかし、従来技術では、ボルトが映像モニタの側面に螺入されるため、厚み方向に相応の寸法を確保する必要がある。さらに、チルト金具が映像モニタの側面に露出するため、デザインの自由度が制限される。
【０００４】
それゆえに、この発明の主たる目的は、薄型化できかつデザインの自由度を向上させることができる、映像表示装置を提供することである。
【課題を解決するための手段】
【０００５】
請求項１の発明に従う壁掛け用の映像表示装置(10)は、映像を表示する画面を有するモニタ本体(12)、画面と交差する所定方向に貫通する第１貫通孔(H1a-H1d)を有する円筒部(143a-143d)が裏面側に突出するように一体成形され、モニタ本体の背面を覆うキャビネット(14)、第１貫通孔の内径よりも小さい内径の第２貫通孔(H2a-H2d)を有し、第２貫通孔の貫通方向が所定方向に沿うように第１貫通孔に挿入されるナット(16)、第２貫通孔と連通する第３貫通孔(H3a-H3d)を有し、キャビネットの表面側に設けられる壁掛け部材(18)、およびキャビネットの表面側から挿入され、第３貫通孔を介して第２貫通孔と螺合するボルト(20)を備える。
【０００６】
モニタ本体は、映像を表示する画面を有する。キャビネットは、裏面側に突出するように一体成形される円筒部を備え、円筒部は、画面と交差する所定方向に貫通する第１貫通孔を有する。モニタ本体の背面は、このようなキャビネットによって覆われる。ナットは、第１貫通孔の内径よりも小さい内径の第２貫通孔を有し、第２貫通孔の貫通方向が所定方向に沿うように第１貫通孔に挿入される。壁掛け部材は、第２貫通孔と連通する第３貫通孔を有する。キャビネットの表面側には、このような壁掛け部材が設けられる。ボルトは、キャビネットの表面側から挿入され、第３貫通孔を介して第２貫通孔と螺合する。
【０００７】
キャビネットの背面に設けられた第１貫通孔を利用することで、モニタ本体の薄型化とデザインの自由度の向上が図られる。また、ボルトはキャビネットの第１貫通孔に挿入されたナットの第２貫通孔と螺合し、モニタ本体およびキャビネットは、ボルトおよびナットによって支持される。これによって、下方向の力に対する耐性が向上する。
【０００８】
請求項２の発明に従う映像表示装置は、請求項１に従属し、ナットはキャビネットの裏面側から第１貫通孔に挿入される。
【０００９】
請求項３の発明に従う映像表示装置は、請求項２に従属し、ナットは裏面側端部に形成されたフランジ(162)を有する。これによって、画面の裏側から表側に向かう力に対する耐性が向上する。
【００１０】
請求項４の発明に従う映像表示装置は、請求項１ないし３のいずれかに従属し、第１貫通孔に挿入されたナットはキャビネットに熱融着される。ナットは、キャビネットに強固に結合する。
【００１１】
請求項５の発明に従う映像表示装置は、請求項１ないし４のいずれかに従属し、キャビネットは合成樹脂によって形成され、ナットおよびボルトの各々は金属によって形成される。
【００１２】
請求項６の発明に従う壁掛け用の映像表示装置は、映像を表示する画面を有するモニタ本体、画面と交差する所定方向に貫通する第１貫通孔を有する円筒部が裏面側に突出するように一体成形されると共に、線状のエンボス部が裏面側に突出するように一体成形される、モニタ本体の背面を覆うキャビネット、第１貫通孔の内径よりも小さい内径の第２貫通孔を有し、第２貫通孔の貫通方向が所定方向に沿うように第１貫通孔に挿入されるナット、第２貫通孔と連通する第３貫通孔を有し、キャビネットの表面側に設けられる壁掛け部材、およびキャビネットの表面側から挿入され、第３貫通孔を介して第２貫通孔と螺合するボルトを備える。これによって、キャビネットの曲げ強度が向上する。
【００１３】
請求項７の発明に従う映像表示装置は、請求項６に従属し、エンボス部は垂直方向に延びる成分を有する。これによって、垂直方向の曲げ強度が向上する。
【００１４】
請求項８の発明に従う壁掛け用の映像表示装置は、映像を表示する画面を有するモニタ本体、円筒部を画面と交差する所定方向に貫通する第１貫通孔を有する円筒部が裏面側に突出するように一体成形され、モニタ本体の背面を覆う合成樹脂製のキャビネット、および第１貫通孔の内径よりも小さい内径の孔を有し、キャビネットの裏側から円筒部に挿入される金属製のナットを備え、ナットに形成される孔は、キャビネットの表面側から挿入されるボルトと螺合することを特徴とする。
【発明の効果】
【００１５】
この発明によれば、キャビネットの背面に設けられた第１貫通孔を利用することで、モニタ本体の薄型化とデザインの自由度の向上が図られる。また、ボルトはキャビネットの第１貫通孔に挿入されたナットの第２貫通孔と螺合し、モニタ本体およびキャビネットは、ボルトおよびナットによって支持される。これによって、下方向の力に対する耐性が向上する。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この実施例の映像表示装置１０は、ＶＥＳＡ規格に適合する壁掛け用の表示装置であり、モニタ本体１２を有する。モニタ本体１２の表面側には、映像を表示する画面ＳＣが設けられる。モニタ本体１２の背面は、ポリスチレン製のバックキャビネット１４によって覆われる。
【００１８】
図２および図３を参照して、バックキャビネット１４の主面中央やや上方には、垂直方向に線状に延びる２つのエンボス部１４１および１４２が一体成形される。エンボス部１４１および１４２のいずれも、バックキャビネット１４の裏面側に凸部が現れるように形成される。かかるエンボス部１４１および１４２を水平方向に並べることによって、バックキャビネット１４の垂直方向の曲げ強度が向上する。また、裏面側に凸部が現れるため、エンボス部１４１および１４２が壁掛けの際の障害となることはない。
【００１９】
エンボス部１４１の近傍には、バックキャビネット１４の裏側に突出する円筒部１４３ａおよび１４３ｂが一体成形される。同様に、エンボス部１４２の近傍には、バックキャビネット１４の裏側に突出する円筒部１４３ｃおよび１４３ｄが一体成形される。円筒部１４３ａおよび１４３ｂは、エンボス部１４１の長さ方向に沿ってエンボス部１４１の外側に設けられる。同様に、円筒部１４３ｃおよび１４３ｄは、エンボス部１４２の長さ方向に沿ってエンボス部１４２の外側に設けられる。
【００２０】
円筒部１４３ａ〜１４３ｄはそれぞれ、画面ＳＣに直交する方向に貫通する貫通孔Ｈ１ａ〜Ｈ１ｄを有する。円筒部１４３ａ〜１４３ｄの長さは互いに等しく、貫通孔Ｈ１ａ〜Ｈ１ｄの長さもまた互いに等しい。貫通孔Ｈ１ａ〜Ｈ１ｄの内径も、互いに等しい。
【００２１】
貫通孔Ｈ１ａ〜Ｈ１ｄの各々には、図４（Ａ）または図４（Ｂ）に示すインサートナット１６が挿入される。インサートナット１６は、黄銅（鉄またはステンレスでも可）を材料とし、貫通孔Ｈ２を有するナット胴部１６１を有する。ナット胴部１６１の長さ方向一方端には外径が拡大されたフランジ１６２が形成され、ナット胴部１６１の長さ方向他方端には外径が縮小された縮径部１６３が形成される。ナット胴部１６１の外壁には円周状の溝が形成され、ナット胴部１６１の内壁には螺旋状の溝が形成される。フランジ１６２および縮径部１６３の内壁にも螺旋状の溝が形成され、この溝はナット胴部１６１の内壁の溝と連続する。
【００２２】
ナット胴部１６１の外径は、貫通孔Ｈ１ａ〜Ｈ１ｄの各々の内径よりもわずかに大きい。フランジ１６２の外径は、貫通孔Ｈ１ａ〜Ｈ１ｄの各々の内径よりも大きい。縮径部１６３の外径は、貫通孔Ｈ１ａ〜Ｈ１ｄの各々の内径よりもわずかに小さい。ナット胴部１６１の内径は、ナット胴部１６１の厚みに相当する分だけ、貫通孔Ｈ１ａ〜Ｈ１ｄの各々の内径よりも小さい。ナット胴部１６１の長さは、貫通孔Ｈ１ａ〜Ｈ１ｄの長さとほぼ一致する。
【００２３】
具体的には、ナット胴部１６１の外径および内径はそれぞれ、８．３ｍｍおよび６．０ｍｍである。フランジ１６２の外径は１０．０ｍｍであり、縮径部１６３の外径は８．０ｍｍである。また、ナット胴部１６１の長さは７．４ｍｍであり、フランジ１６２の長さ（厚み）は０．８ｍｍであり、そして縮径部１６３の長さは１．８ｍｍである。
【００２４】
インサートナット１６は、図５に示すように、バックキャビネット１４の裏面側から貫通孔Ｈ１ａ〜Ｈ１ｄの各々に挿入される。挿入されたインサートナット１６は、熱融着によってバックキャビネット１４と結合する。具体的には、ナット胴部１６１の外壁に形成された円周状の溝が、熱融着によって貫通孔Ｈ１ａ〜Ｈ１ｄの各々の内壁と結合する。
【００２５】
装着状態では、フランジ１６２は貫通孔Ｈ１ａ〜Ｈ１ｄの外部に露出する。また、貫通孔Ｈ２の貫通方向は、貫通孔Ｈ１ａ〜Ｈ１ｄの各々の貫通方向と一致する。さらに、貫通孔Ｈ２の中心軸は、貫通孔Ｈ１ａ〜Ｈ１ｄの各々の中心軸と一致する。
【００２６】
図６を参照して、壁掛け金具１８は、板状の金具１８ａを備える。金具１８ａは矩形状に形成され、四隅に貫通孔Ｈ３ａ〜Ｈ３ｄがそれぞれ設けられる。貫通孔Ｈ３ａ〜Ｈ３ｄの各々の貫通方向は、金具１８ａの厚み方向と一致する。貫通孔Ｈ３ａから貫通孔Ｈ３ｂまでの距離は貫通孔Ｈ１ａから貫通孔Ｈ１ｂまでの距離と一致し、貫通孔Ｈ３ｃから貫通孔Ｈ３ｄまでの距離は貫通孔Ｈ１ｃから貫通孔Ｈ１ｄまでの距離と一致する。さらに、貫通孔Ｈ３ａから貫通孔Ｈ３ｃまでの距離は貫通孔Ｈ１ａから貫通孔Ｈ１ｃまでの距離と一致し、貫通孔Ｈ３ｂから貫通孔Ｈ３ｄまでの距離は貫通孔Ｈ１ｂから貫通孔Ｈ１ｄまでの距離と一致する。さらに、貫通孔Ｈ３ａ〜Ｈ４ｄの各々の内径は、貫通孔Ｈ２の内径とほぼ一致する。
【００２７】
壁掛け金具１８は、以下の要領でバックキャビネット１４に取り付けられる。まず、貫通孔Ｈ３ａ〜Ｈ３ｄがそれぞれ貫通孔Ｈ１ａ〜Ｈ１ｄと連通するように、壁掛け金具１８がバックキャビネット１４の表面に配置される。ボルト２０は、インサートナット１６の貫通孔Ｈ２に設けられた螺旋状の溝と螺合する螺旋状の山を有する。このようなボルト２０が、金具１８ａの表面側から貫通孔Ｈ３ａ〜Ｈ３ｄの各々に挿入され、その後バックキャビネット１４に熱融着されたインサートナット１６の貫通孔Ｈ２に螺入される。つまり、ボルト２０は、金具１８ａを介してインサートナット１６と螺合される。壁掛け金具１８が装着されたバックキャビネット１４は、その後図７に示す要領でモニタ本体１２に装着される。
【００２８】
以上の説明から分かるように、モニタ本体１２は、映像を表示する画面ＳＣを有する。キャビネット１４は、画面ＳＣと直交する方向に貫通する貫通孔Ｈ１を有する。モニタ本体１２の背面は、このようなキャビネット１４によって覆われる。インサートナット１６は、貫通孔Ｈ１の内径よりも小さい内径の貫通孔Ｈ２を有し、貫通孔Ｈ２の貫通方向が画面ＳＣに直交する方向に沿うように貫通孔Ｈ１に挿入される。壁掛け金具１８は、貫通孔Ｈ２と連通する貫通孔Ｈ３を有する。キャビネット１４の表面側には、このような壁掛け金具１８が設けられる。ボルト２０は、貫通孔Ｈ３を介して貫通孔Ｈ２と螺合する。
【００２９】
キャビネット１４の背面に設けられた貫通孔Ｈ１を壁掛けに利用することで、モニタ本体１２の薄型化とデザインの自由度の向上が図られる。また、ボルト２０はキャビネット１４の貫通孔Ｈ１に挿入されたインサートナット１６の貫通孔Ｈ２と螺合し、モニタ本体１２およびキャビネット１４は、ボルト２０およびインサートナット１６によって支持される。これによって、下方向の力に対する耐性が向上する。
【００３０】
なお、この実施例では、貫通孔Ｈ１ａ〜Ｈ１ｄの貫通方向は画面ＳＣに直交する方向
であるが、画面ＳＣと交差する方向である限り、直交方向に限られない。また、この実施例では、エンボス部１４１および１４２は垂直方向に延びるが、垂直成分を有する限り（水平方向でない限り）、これに限られるものではない。したがって、たとえばＸを描くようにエンボス部を形成するようにしてもよい。
【図面の簡単な説明】
【００３１】
【図１】この実施例の映像表示装置を正面側から示す斜視図である。
【図２】バックキャビネットを裏面側から示す斜視図である。
【図３】バックキャビネットを表面側から示す斜視図である。
【図４】（Ａ）はインサートナットを或る視点から示す斜視図であり、（Ｂ）はインサートナットを別の視点から示す斜視図である。
【図５】インサートナットをバックキャビネットに取り付ける状態を示す図解図である。
【図６】壁掛け用金具をバックキャビネットに取り付ける状態を示す図解図である。
【図７】壁掛け金具が取り付けられた映像表示装置を背面側から示す斜視図である。
【符号の説明】
【００３２】
１０  …映像表示装置
１２  …モニタ本体
１４  …キャビネット
１６  …インサートナット
１８  …壁掛け金具
２０  …ボルト
【図１】
0004762005.tif 000002
【図２】
0004762005.tif 000003
【図３】
0004762005.tif 000004
【図４】
0004762005.tif 000005
【図５】
0004762005.tif 000006
【図６】
0004762005.tif 000007
【図７】
0004762005.tif 000008